(57)【要約】【課題】  光源の寿命末期によらず光源が消灯されたときに光源の寿命末期との使用者の誤認を抑えることができる点灯装置及び照明装置を提供する。【解決手段】  無負荷状態を検出する無負荷検出部２３と、光源としての放電灯Ｌａの寿命末期を検出する寿命検出部２４と、放電灯Ｌａの寿命末期と無負荷状態とを区別して報知する報知部２５とを備える。無負荷状態と放電灯Ｌａの寿命末期とのいずれが発生したのかを使用者が知ることができるから、無負荷状態のときに放電灯Ｌａが消灯されても、使用者が放電灯Ｌａの寿命末期と誤認することがない。【選択図】図１
2006278054.tif 000002
【特許請求の範囲】
【請求項１】
光源に電力を供給して点灯させる点灯部と、
無負荷状態を検出する無負荷検出部と、
光源の寿命末期を検出する寿命検出部と、
無負荷検出部によって無負荷状態が検出されたときに無負荷状態を報知し、寿命検出部によって光源の寿命末期が検出されたときに光源の寿命末期を報知する報知部と
を備えることを特徴とする点灯装置。
【請求項２】
光源に電力を供給して点灯させる点灯部と、
点灯部を構成する回路素子の寿命末期を検出する素子寿命検出部と、
素子寿命検出部によって回路素子の寿命末期が検出されたときに回路素子の寿命末期を報知する報知部と
を備えることを特徴とする点灯装置。
【請求項３】
無負荷検出部によって無負荷状態が検出されたことを示す電気信号を報知部に入力する信号路を、寿命検出部によって光源の寿命末期が検出されたことを示す電気信号を報知部に入力する信号路とは別途に有することを特徴とする請求項１記載の点灯装置。
【請求項４】
無負荷検出部によって無負荷状態が検出されたことを示す電気信号を報知部に入力する信号路と、寿命検出部によって光源の寿命末期が検出されたことを示す電気信号を報知部に入力する信号路とが共通であって、
無負荷検出部によって無負荷状態が検出されたときと、寿命検出部によって光源の寿命末期が検出されたときとで、報知部に入力される電気信号の電圧レベルが互いに異なることを特徴とする請求項１記載の点灯装置。
【請求項５】
請求項１乃至請求項４のいずれかの点灯装置と、光源とを備えることを特徴とする照明装置。
【発明の詳細な説明】
【技術分野】
【０００１】
本発明は、点灯装置及び照明装置に関するものである。
【背景技術】
【０００２】
従来から、例えば放電灯や白熱灯のような光源に電力を供給して点灯させる点灯装置において、無負荷状態や光源の寿命末期を検出することができるものが提供されている（例えば、特許文献１参照）。
【０００３】
この種の点灯装置では、例えばランプ電流を検出することによって、無負荷状態や光源の寿命末期といった光源の異常を検出し、光源の異常が検出されたときには光源を消灯する。
【特許文献１】特開２００３−９２５９号公報
【発明の開示】
【発明が解決しようとする課題】
【０００４】
しかし、従来の点灯装置では、使用者が見て無負荷状態と光源の寿命末期とを区別することができなかった。このため、例えば光源が取り付けられるソケットと光源との接続不良によって無負荷状態となっていたときや、点灯装置を構成する回路素子の寿命で光源が消灯したときでも、光源の側に異常があると使用者が認識してしまい、結果として修理が遅れる可能性が高かった。
【０００５】
本発明は上記事由に鑑みて為されたものであり、その目的は、光源の寿命末期によらず光源が消灯されたときに光源の寿命末期との使用者の誤認を抑えることができる点灯装置及び照明装置を提供することにある。
【課題を解決するための手段】
【０００６】
請求項１の発明は、光源に電力を供給して点灯させる点灯部と、無負荷状態を検出する無負荷検出部と、光源の寿命末期を検出する寿命検出部と、無負荷検出部によって無負荷状態が検出されたときに無負荷状態を報知し、寿命検出部によって光源の寿命末期が検出されたときに光源の寿命末期を報知する報知部とを備えることを特徴とする。
【０００７】
この発明によれば、無負荷状態と光源の寿命末期とのいずれが発生したのかを使用者が知ることができるから、無負荷状態のときに光源が消灯されても、使用者が光源の寿命末期と誤認することがない。
【０００８】
請求項２の発明は、光源に電力を供給して点灯させる点灯部と、点灯部を構成する回路素子の寿命末期を検出する素子寿命検出部と、素子寿命検出部によって回路素子の寿命末期が検出されたときに回路素子の寿命末期を報知する報知部とを備えることを特徴とする。
【０００９】
この発明によれば、回路素子の寿命末期のときに光源が消灯されても、使用者が光源の寿命末期と誤認することがない。
【００１０】
請求項３の発明は、請求項１の発明において、無負荷検出部によって無負荷状態が検出されたことを示す電気信号を報知部に入力する信号路を、寿命検出部によって光源の寿命末期が検出されたことを示す電気信号を報知部に入力する信号路とは別途に有することを特徴とする。
【００１１】
請求項４の発明は、請求項１の発明において、無負荷検出部によって無負荷状態が検出されたことを示す電気信号を報知部に入力する信号路と、寿命検出部によって光源の寿命末期が検出されたことを示す電気信号を報知部に入力する信号路とが共通であって、無負荷検出部によって無負荷状態が検出されたときと、寿命検出部によって光源の寿命末期が検出されたときとで、報知部に入力される電気信号の電圧レベルが互いに異なることを特徴とする。
【００１２】
請求項５の発明は、請求項１乃至請求項４のいずれかの点灯装置と、光源とを備えることを特徴とする。
【発明の効果】
【００１３】
無負荷状態が検出されたときに無負荷状態を報知し、光源の寿命末期が検出されたときに光源の寿命末期を報知する報知部、又は、点灯部を構成する回路素子の寿命末期を検出する素子寿命検出部と、素子寿命検出部によって回路素子の寿命末期が検出されたときに回路素子の寿命末期を報知する報知部を備えるので、無負荷状態や回路素子の寿命末期のときに光源が消灯されても、使用者が光源の寿命末期と誤認することがない。
【発明を実施するための最良の形態】
【００１４】
以下、本発明を実施するための最良の形態について、図面を参照しながら説明する。
【００１５】
（実施形態１）
本実施形態は、図１に示すように、互いに直列に接続された光源としての２個の放電灯Ｌａを点灯させるものであって、交流電源ＡＣの交流出力を整流するダイオードブリッジＤＢと、アルミ電解コンデンサからなりダイオードブリッジＤＢの出力端間に接続されダイオードブリッジＤＢの出力を平滑する平滑コンデンサＣ１と、例えばそれぞれＦＥＴからなり平滑コンデンサＣ１の両端間に直列に接続された２個のスイッチング素子Ｑ１，Ｑ２と、トランスＴと、ローサイドのスイッチング素子Ｑ２の両端間にトランスＴの１次巻線に直列に接続された直流カット用のコンデンサＣ２とインダクタＬ１との直列回路とを備える。トランスＴの２次巻線は、一端が直流カット用のコンデンサＣ３を介して一方の放電灯Ｌａの一方のフィラメントＦ１の一端に接続されるとともに、他端が他方の放電灯Ｌａの一方のフィラメントＦ４の一端に接続されている。一方の放電灯Ｌａの一方のフィラメントＦ１の他端と他方の放電灯Ｌａの一方のフィラメントＦ４の他端との間には、コンデンサＣ４と抵抗Ｒ２との並列回路が接続されている。一方の放電灯Ｌａの他方のフィラメントＦ１と他方の放電灯Ｌａの他方のフィラメントＦ４とは、一端同士が互いに接続され、他端同士がトランスＴの３次巻線ｎ３を介して互いに接続されている。また、一方の放電灯Ｌａの一方のフィラメントＦ１の一端は、抵抗Ｒ１を介して平滑コンデンサＣ１の高電圧側に接続されている。
【００１６】
また、各スイッチング素子Ｑ１，Ｑ２をそれぞれ駆動して交互にオンオフすることにより、コンデンサＣ２とインダクタＬ１とを含む共振回路を介して各放電灯Ｌａにそれぞれ高周波電力を供給する点灯制御部２２を備える。点灯制御部２２は周知の技術で実現可能であるから、詳細な説明は省略する。
【００１７】
さらに、一端がダイオードＤ１と抵抗Ｒ３との直列回路を介して放電灯ＬａのフィラメントＦ４とトランスＴの２次巻線ｎ２との接続点に接続され、他端が接地されたコンデンサＣ５と抵抗Ｒ４との並列回路と、コンデンサＣ５と抵抗Ｒ４との並列回路とダイオードＤ１との接続点の電位が入力される無負荷検出部２３を備える。放電灯Ｌａが正しく接続されていれば、平滑コンデンサＣ１、抵抗Ｒ１、一方の放電灯Ｌａの一方のフィラメントＦ１、抵抗Ｒ２、他方の放電灯Ｌａの一方のフィラメントＦ４、抵抗Ｒ３の経路を介して流れ込む電流によりコンデンサＣ５が充電されるが、放電灯Ｌａの未装着やフィラメントＦ１〜Ｆ４の断線といった無負荷状態の場合、上記経路で電流が流れないから、コンデンサＣ５の電荷は抵抗Ｒ４を介して放電され、コンデンサＣ５と抵抗Ｒ４との並列回路とダイオードＤ１との接続点の電位Ｖｃ１が低下する。無負荷検出部２３は、コンデンサＣ５と抵抗Ｒ４との並列回路とダイオードＤ１との接続点の電位Ｖｃ１が所定の閾値電圧Ｖｒ１を下回ったときに無負荷状態を検出する。
【００１８】
また、トランスＴには一端が接地された４次巻線ｎ４が設けられており、４次巻線ｎ４の他端はコンデンサＣ６と抵抗Ｒ５との並列回路と、ダイオードＤ２とを介して接地されている。さらに、コンデンサＣ６と抵抗Ｒ５との並列回路とダイオードＤ２との接続点の電位Ｖｃ２に基いて放電灯Ｌａの寿命末期を検出する寿命検出部２４を備える。放電灯Ｌａが寿命末期になると、２次巻線ｎ２に供給される電力が減少して４次巻線ｎ４に供給される電力が増加することにより、コンデンサＣ６の両端電圧が増大し、コンデンサＣ６と抵抗Ｒ５との並列回路とダイオードＤ２との接続点の電位Ｖｃ２が高くなる。寿命検出部２４は、コンデンサＣ６と抵抗Ｒ５との並列回路とダイオードＤ２との接続点の電位Ｖｃ２が所定の閾値電圧Ｖｒ２を上回ったときに放電灯Ｌａの寿命末期を検出する。
【００１９】
無負荷検出部２３及び寿命検出部２４は、それぞれ例えば図２に示すように一方の入力端子に入力電圧が入力され他方の入力端子に基準電圧Ｖｒ１，Ｖｒ２が入力されるコンパレータＩＣ１，ＩＣ２からなる。放電灯Ｌａの寿命末期時には、無負荷検出部２３の出力がＬレベルとなる一方で寿命検出部２４の出力はＨレベルとなり、無負荷状態のときは無負荷検出部２３の出力と寿命検出部２４の出力とがともにＨレベルとなる。
【００２０】
無負荷検出部２３の出力と寿命検出部２４の出力とは、それぞれ点灯制御部２２に入力される。点灯制御部２２は、無負荷検出部２３に無負荷状態が検出されたときと、寿命検出部２４に放電灯Ｌａの寿命末期が検出されたときとには、各スイッチング素子Ｑ１，Ｑ２をともにオフすることにより放電灯Ｌａへの給電を停止する。
【００２１】
また、無負荷検出部２３の出力と寿命検出部２４の出力とが別々の信号路Ａ，Ｂを介して入力され無負荷状態と放電灯の寿命末期とを報知する報知部２５を備える。報知部２５は、例えば複数個の発光ダイオード（図示せず）を備え、無負荷検出部２３に無負荷状態が検出されたときと寿命検出部２４に放電灯Ｌａの寿命末期が検出されたときとで異なる発光ダイオードを点灯させることにより無負荷状態と放電灯Ｌａの寿命末期とを区別して報知する。さらに、報知部２５には、無負荷検出部２３の出力を装置外に出力する端子（図示せず）と寿命検出部２４の出力を装置外に出力する端子（図示せず）とがそれぞれ設けられている。
【００２２】
上記構成によれば、無負荷状態と放電灯Ｌａの寿命末期とのいずれが発生したのかを使用者が知ることができるから、無負荷状態のときに放電灯Ｌａが消灯されても、使用者が放電灯Ｌａの寿命末期と誤認することがない。
【００２３】
（実施形態２）
本実施形態は、無負荷検出部２３の出力と寿命検出部２４の出力とを報知部２５に入力するに当たって、別々の信号路Ａ，Ｂを介して入力する代わりに、共通の信号路を介して入力するものである。
【００２４】
具体的には、図３に示すように、無負荷検出部２３の出力と寿命検出部２４の出力とがそれぞれ入力され、無負荷検出部２３に無負荷状態が検出されたときと寿命検出部２４に放電灯Ｌａの寿命末期が検出されたときとで異なる電圧レベルの信号を報知部２５に入力する信号生成部２６を設けた。また、信号生成部２６には、信号生成部２６の出力を装置外に出力する端子（図示せず）を設けている。
【００２５】
信号生成部２６は、一定の電圧（例えば１２Ｖ）が抵抗Ｒ５，Ｒ６で分圧された電圧を、トランジスタＱ５を用いたエミッタホロワ回路を介して出力する回路において、トランジスタＱ３，Ｑ４と抵抗Ｒ７，Ｒ８との直列回路が２個、それぞれ低電圧側の抵抗Ｒ５に並列に接続されてなる。
【００２６】
また、一方のトランジスタＱ３は無負荷検出部２３に無負荷状態が検出されたときにオンされ、他方のトランジスタＱ４は寿命検出部２４に放電灯Ｌａの寿命末期が検出されたときにオンされるようにしてある。具体的には例えば一方のトランジスタＱ３のベースには無負荷検出部２３の出力を入力し、他方のトランジスタＱ４のベースには無負荷検出部２３の出力の否定と寿命検出部２４の出力との論理積を入力する。
【００２７】
このとき、抵抗Ｒ５，Ｒ６，Ｒ７，Ｒ８の抵抗値をそれぞれ３３０Ω、３６０Ω、１５０Ω、４７０Ωとし、エミッタホロワ回路のトランジスタＱ５のベース−エミッタ電圧を０．７Ｖとすると、報知部２５に入力される信号の電圧レベルは、通常は５Ｖ、無負荷が検出されたときは２．０Ｖ、放電灯Ｌａの寿命末期が検出されたときは３．５Ｖとなる。このように報知部２５への入力に無負荷検出部２３の出力と寿命検出部２４の出力とで共通の信号路を用いれば、例えば報知部２５を無負荷検出部２３や寿命検出部２４と異なるケースに収納する場合に配線を単純化することができる。
【００２８】
（実施形態３）
本実施形態の基本構成は実施形態１と共通であるので、共通する部分については同じ符号を付して図示及び説明を省略する。
【００２９】
ところで、アルミ電解コンデンサは、封入された電解液が徐々に失われることによって静電容量が減少し、これに伴ってリプル電圧が発生する。リプル電圧の振幅は電解液が失われるにつれて徐々に大きくなる。そして、平滑コンデンサＣ１として用いたアルミ電解コンデンサが寿命末期となると、放電灯Ｌａにチラツキが発生する。
【００３０】
本実施形態は、図４に示すように、平滑コンデンサＣ１の寿命末期を検出する素子寿命検出部２７を備える。
【００３１】
素子寿命検出部２７は、例えば図５に示すように、平滑コンデンサＣ１の両端電圧を抵抗Ｒ９，Ｒ１０で分圧し、コンデンサＣ７で直流成分を除去してダイオードＤ３，Ｄ４で半波整流し、さらに抵抗Ｒ１１，Ｒ１２で分圧してコンデンサＣ８で平滑してコンパレータＩＣ３に入力するものである。つまり、平滑コンデンサＣ１に生じたリプル電圧の振幅に応じた大きさの電圧がコンパレータＩＣ３に入力される。コンパレータＩＣ３は、入力された電圧と所定の基準電圧Ｖｒ３とを比較し、入力された電圧が基準電圧Ｖｒ３より高いときにはＨレベル、低いときにはＬレベルの信号をそれぞれ出力する。上記基準電圧Ｖｒ３は、放電灯Ｌａにチラツキが発生するよりもわずかに早くコンパレータＩＣ３の出力がＨレベルとなる程度としてある。
【００３２】
素子寿命検出部２７の出力は報知部２５に入力され、報知部２５は、素子寿命検出部２６によって平滑コンデンサＣ１の寿命末期が検出されたときに、例えば発光ダイオードを点灯させることによって平滑コンデンサＣ１の寿命末期を報知する。また、素子寿命検出部２６の出力を点灯制御部２２に入力し、点灯制御部２２は、素子寿命検出部２７によって平滑コンデンサＣ１の寿命末期が検出されたときに放電灯Ｌａへの電力の供給を停止するようにしてもよい。
【００３３】
上記構成によれば、平滑コンデンサＣ１の寿命末期により放電灯Ｌａが消灯されたときに、使用者が放電灯Ｌａの寿命末期として誤認することがない。
【００３４】
なお、寿命末期の検出の対象となる回路素子は、アルミ電解コンデンサに限られず、経時変化に起因する特性の変化を検出することによる寿命末期の検出が可能な回路素子であればよい。
【００３５】
（実施形態４）
本実施形態の基本構成は実施形態２と共通であるので、共通する部分については同じ符号を付して図示及び説明を省略する。
【００３６】
本実施形態では、図６に示すように、図１に回路記号で示した各回路素子で構成される点灯部２１と、点灯制御部２２と、無負荷検出部２３と、寿命検出部２４と、信号生成部２６とをケース２０（図８（ｂ）参照）に収納してなる点灯ブロック２を備える。また、点灯ブロック２には、図７に示すように信号生成部２６に信号路としての電線（図示せず）を接続するための端子２ａを設けてある。なお、図６のブロック図では簡単のために２個の放電灯Ｌａを１個のブロックで表している。
【００３７】
また、標準的な放電灯Ｌａの累積点灯時間と全光点灯時の光束との関係を示す例えばデータテーブルが格納された記憶部３１と、放電灯Ｌａの累積点灯時間を計時するとともに累積点灯時間と記憶部３１に格納されたデータテーブルとに基いた制御信号を出力する制御部３２と、制御部３２が出力した制御信号を変換して点灯ブロック２の点灯制御部２２に入力する制御信号出力部３３と、交流電源ＡＣから電源を供給され各部の電源を生成する電源部３４とをそれぞれケース３０（図８（ｂ）参照）に収納してなる制御ブロック３を備える。電源部３４から制御信号出力部３３への給電は、制御部３２によってオンオフされる。点灯制御部２２は制御信号に基き、放電灯Ｌａの累積点灯時間の増加に伴って光束の低下を補うように放電灯Ｌａへ供給する電力を増加させ、放電灯Ｌａの輝度を略一定に保つ。点灯ブロック２及び制御ブロック３への給電は、使用者に操作される電源スイッチＳＷ１によりオンオフされる。
【００３８】
また、制御部３２は、例えば複数個の発光ダイオード（図示せず）を備え、無負荷検出部２３に無負荷状態が検出されたときと寿命検出部２４に放電灯Ｌａの寿命末期が検出されたときとで異なる発光ダイオードを点灯させることにより無負荷状態と放電灯Ｌａの寿命末期とを区別して報知する。つまり、制御部３２は報知部でもある。
【００３９】
実施形態１〜４の点灯装置は、例えば図８（ａ）（ｂ）に示す照明装置１に用いることができる。この照明装置１は、直管形の放電灯Ｌａと、放電灯Ｌａが取り付けられるソケット１１と、点灯ブロック２のケース２０と、制御ブロック３のケース３０と、点灯ブロック２と制御ブロック３とにそれぞれ電気的に接続され電線ＣＯが接続される電源端子台１２とが取り付けられた器具本体１３を備える。器具本体１３は、天井面（図示せず）から垂下されたボルトＢＯが挿通されるボルト挿通穴１３ａを有し、ボルト挿通穴１３ａと座金Ｗとに挿通されたボルトＢＯが螺合するナットＮによって支持される。
【００４０】
また、器具本体１３には、下面が放電灯Ｌａの光を反射する反射板１４が取り付けられる。反射板１４はねじ挿通穴１４ａを有し、ねじ挿通穴１４ａに挿通されて器具本体１３に螺合するつまみねじＳによって器具本体１３にねじ止めされて器具本体１３を覆う。また反射板１４には、ソケット１１が挿通されるソケット挿通穴１４ｂが上下に貫設されている。
【００４１】
（実施形態５）
本実施形態の基本構成は実施形態４と共通であるので、共通する部分については同じ符号を付して図示及び説明を省略する。
【００４２】
本実施形態は、例えば誘導灯に用いられるものであって、図９に示すように、停電時に電源となる２次電池Ｅと、２次電池Ｅを電源として放電灯Ｌａを点灯させる非常点灯部４１と、例えば複数個の切替接点からなり非常点灯部４１と点灯部２１とを択一的に放電灯Ｌａに接続する切替部４２と、制御ブロック３の電源部３４から給電されて２次電池Ｅを充電する充電部４３とを有する非常点灯ブロック４を備える。２次電池Ｅから非常点灯部４１への給電は、制御ブロック３の制御部３２によってオンオフされる。
【００４３】
また、制御ブロック３には、２次電池Ｅへの充電電流を検出する充電検出部３５と、２次電池の電池電圧を検出する電圧検出部３６とが設けられており、制御部３２は、充電検出部３５の出力と電圧検出部３６の出力とに基いて２次電池の充電不足などの異常を検出し、結果を記憶部３１に格納する。
【００４４】
非常点灯部４１は、例えば各放電灯Ｌａに対してそれぞれ設けられた図１０に示すような周知のプッシュプル回路からなる。具体的に説明すると、２個のトランジスタＱ４１，Ｑ４２の直列回路と、コンデンサＣ４１との並列回路に並列に接続された１次巻線を有するトランスＴ４１と、トランジスタＱ４１，Ｑ４２の接続点とトランスＴ４１の１次巻線の中間点との間に２次電池Ｅに直列に接続されたインダクタＬ４１とを備える。
【００４５】
放電灯Ｌａの一方のフィラメントは、トランスＴ４１の２次巻線の一端部とコンデンサＣ４３とに直列に接続されている。他方のフィラメントの両端間には、トランスＴ４１の２次巻線の他端部とその両側にそれぞれ設けられたコンデンサＣ４２，Ｃ４４との直列回路が接続されている。また、トランジスタＱ４１，Ｑ４２へのベース電流の供給をオンオフするトランジスタＱ４３と、トランジスタＱ４３と各トランジスタＱ４１，Ｑ４２のベースとの間にそれぞれ接続された抵抗Ｒ４１，Ｒ４２とを備える。
【００４６】
この種のプッシュプル回路は、２次電圧Ｅの電池電圧が低くても放電灯Ｌａの点灯に必要な電圧を生成することができ、放電によって２次電圧Ｅの電池電圧が低下しても安定した発振動作を期待できる。
【００４７】
電源部３４は、実施形態４とは異なり、電源スイッチＳＷ１を介さずに、常閉接点からなり使用者の操作でオフされる点検スイッチＳＷ２を介して、交流電源ＡＣから電源を供給されている。
【００４８】
また、電源部３４は、交流電源ＡＣからの給電が停止されると、点灯部２１に電力が供給されているか否かを検出し、供給されていなければ（すなわち停電であれば）所定の停電信号を制御部３２に入力し、供給されていれば（すなわち点検スイッチＳＷ２が操作されていれば）所定の点検信号を制御部３２に入力する。
【００４９】
制御部３２は、電源部３４から停電信号が入力されると、切替部４２を制御して非常点灯部４１を放電灯Ｌａに接続するとともに、２次電池Ｅから非常点灯部部４１への給電を開始させる。このとき、電源スイッチＳＷ１がオフされている場合や、寿命検出部２４によって放電灯Ｌａの寿命末期が検出されている場合であっても、安全のために放電灯Ｌａを点灯させる。これに対し、無負荷検出部２３によって無負荷状態が検出されている場合には非常点灯部４１への電源の供給を開始させない。
【００５０】
また、制御部３２は、充電検出部３５の出力と電圧検出部３６の出力とを用いる方法で２次電池Ｅの異常を検出するほか、点検スイッチＳＷ２が操作されたときにも別の方法で２次電池Ｅの異常を検出する。具体的に説明すると、制御部３２は、点検信号が入力されると、信号生成部２６の出力を参照する。そして、放電灯Ｌａが正常に点灯している場合、すなわち、電源スイッチＳＷ１がオンされていて、かつ、無負荷検出部２３によって無負荷状態が検出されておらず、かつ、寿命検出部２４によって放電灯Ｌａの寿命末期が検出されていない場合、切替部４２を制御して所定時間、非常用点灯部４１から放電灯Ｌａに給電させる。そして、放電灯Ｌａを上記所定時間にわたって点灯させることができなかった場合と、上記所定時間の前後での２次電池Ｅの電池電圧の低下幅が所定の閾値を越えた場合とに、２次電池Ｅに異常が発生したと判定し、例えば発光ダイオードを点灯させることによって報知する。一方、電源スイッチＳＷ１がオフされている場合と、無負荷検出部２３によって無負荷状態が検出されている場合と、寿命検出部２４によって放電灯Ｌａの寿命末期が検出されている場合とには２次電池Ｅの異常の検出を行わない。
【００５１】
ここで、無負荷状態であれば２次電池Ｅからの放電電流が減少するため２次電池に異常が発生していても正常と判定されてしまう可能性があり、放電灯Ｌａが寿命末期であれば２次電池からの放電電流が増加するため２次電池が正常であっても異常と判定されてしまう可能性がある。しかし、本実施形態では、無負荷検出部２３によって無負荷状態が検出されている場合と、寿命検出部２４によって放電灯Ｌａの寿命末期が検出されている場合とには２次電池Ｅの異常の検出を行わないので、上記の誤判定を避けることができる。また、２次電池Ｅの無駄な放電が防止される。
【００５２】
（実施形態６）
本実施形態の基本構成は実施形態５と共通であるので、共通する部分については同じ符号を付して図示及び説明を省略する。
【００５３】
本実施形態は、図１１に示すような信号線ＳＬを介した例えばバス接続によって複数個の照明装置１を中央制御端末ＣＵに接続し、定期的に（例えば３ヶ月に１度）中央制御端末ＣＵから信号線ＳＬを介して送信される指示によって制御部３２が２次電池Ｅの点検を行うようにしたものである。
【００５４】
具体的には、図１２に示すように、制御部３２によって制御され信号線ＳＬを介して信号を送受信する通信部３７と、照明装置１のアドレスや属するグループが設定される例えばディップスイッチからなるアドレス設定部３８とを設ける。制御部３２は、アドレス設定部３８に設定されたアドレス又はグループへ送信された信号が通信部３７に受信されたとき、受信された信号に基いて、例えば２次電池Ｅの点検を行って通信部３７を制御し点検の結果を中央制御端末ＣＵに送信させたり、通信部３７を制御して無負荷状態や放電灯Ｌａの寿命末期や電源スイッチＳＷ１のオンオフといった情報を送信させる。
【００５５】
ここで、通信部３７は、無負荷状態を示す信号と放電灯Ｌａの寿命末期を示す信号と電源スイッチＳＷ１の状態を示す信号とを個別の端子から出力してもよいし、共通の端子から出力してもよい。共通の端子から出力する場合、例えば、電源スイッチＳＷ１がオンされているときは通信部３７の出力信号の電圧レベルとして信号生成部２６の出力の電圧レベルをそのまま用い、電源スイッチＳＷ１がオフされていれば通信部３７の出力信号の電圧レベルを０Ｖとする。
【００５６】
中央制御端末ＣＵは、照明装置１の通信部と同様の通信手段と、例えばマイクロコンピュータからなり通信手段を制御する制御手段と、例えばＥＥＰＲＯＭからなり照明装置１から送信された点検の結果などの情報を格納する記憶手段と、例えば複数個の発光ダイオードからなり照明装置１から送信された点検の結果などの情報を報知する報知手段とを備える。ここで、報知手段は、請求項における報知部であって、少なくとも無負荷状態と放電灯Ｌａの寿命末期とを区別して報知する。ただし、中央制御端末ＣＵは周知の技術で実現可能であるから詳細な説明は省略する。
【００５７】
上記構成を採用すれば、複数個の照明装置１を容易に管理することができる。また、実施形態５のような点検スイッチＳＷ２を図１２に示すように省略することができる。さらに、信号線ＳＬを介して接続された中央制御端末ＣＵに報知手段を設けているから、制御部３２において報知部としての発光ダイオードを省略することができる。
【図面の簡単な説明】
【００５８】
【図１】本発明の実施形態を示す回路図である。
【図２】同上の要部を示す回路図である。
【図３】本発明の実施形態２の要部を示す回路図である。
【図４】本発明の実施形態３を示す回路図である。
【図５】同上の要部を示す回路図である。
【図６】本発明の実施形態４を示すブロック図である。
【図７】同上の要部を示す斜視図である。
【図８】照明装置の一例を示す図であり、（ａ）は斜視図、（ｂ）は分解斜視図である。
【図９】本発明の実施形態５を示すブロック図である。
【図１０】同上の要部を示す回路図である。
【図１１】本発明の実施形態６を用いた照明システムを示すブロック図である。
【図１２】本発明の実施形態６を示すブロック図である。
【符号の説明】
【００５９】
１  照明装置
２１  点灯部
２３  無負荷検出部
２４  寿命検出部
２５  報知部
３２  制御部
Ｌａ  放電灯
【図１】
2006278054.tif 000003
【図２】
2006278054.tif 000004
【図３】
2006278054.tif 000005
【図４】
2006278054.tif 000006
【図５】
2006278054.tif 000007
【図６】
2006278054.tif 000008
【図７】
2006278054.tif 000009
【図８】
2006278054.tif 000010
【図９】
2006278054.tif 000011
【図１０】
2006278054.tif 000012
【図１１】
2006278054.tif 000013
【図１２】
2006278054.tif 000014